(57)【特許請求の範囲】
【請求項１】
空気熱交換器を備えた空冷式熱源機の散水システムであって、
水を収容するタンクと、
前記タンクの水を前記空気熱交換器に散布する第１散水手段と、
洗浄用の水を前記空気熱交換器に散布する第２散水手段と、
前記散布により前記空気熱交換器から流下する水を前記タンクに回収する回収手段と、
予め定めた散水開始条件が成立した場合に前記第１散水手段による散布を開始し、この開始後、予め定めた散水解除条件が成立した場合に前記第１散水手段による散布を停止し、この停止後、前記第２散水手段による散布を一定時間ｔ１sだけ実行する制御手段と、
を備えることを特徴とする空冷式熱源機の散水システム。
【請求項２】
純水を生成する純水生成手段または軟水を生成する軟水生成手段、
をさらに備え、
前記第２散水手段は、前記純水生成手段または軟水生成手段で生成される純水または軟水を前記洗浄用として前記空気熱交換器に散布する、
ことを特徴とする請求項１記載の空冷式熱源機の散水システム。
【請求項３】
給水源の水を前記タンクに供給する給水手段と、
前記タンク内の水位を検知する水位センサと、
をさらに備え、
前記制御手段は、前記水位センサの検知水位が設定値となるように前記給水手段の給水を制御する、
ことを特徴とする請求項１または請求項２記載の空冷式熱源機の散水システム。
【請求項４】
前記タンクに薬剤を注入する薬剤注入手段と、
をさらに備え、
前記制御手段は、前記薬剤注入手段による薬剤の注入を散水システムの給水量に応じて制御する、
ことを特徴とする請求項３記載の空冷式熱源機の散水システム。
【請求項５】
前記タンク内の水の電気伝導率を検知する電気伝導率検知手段、
をさらに備え、
前記制御手段は、前記電気伝導率検知手段の検知結果が設定値以上の場合に、前記タンク内の水を排出する、
ことを特徴とする請求項３記載の空冷式熱源機の散水システム。
【請求項６】
前記制御手段は、
前記第１散水手段による散布の開始後、前記散水解除条件が成立しないまま一定時間ｔ２sが経過した場合、前記第１散水手段による散布を停止して前記第２散水手段による散布を一定時間ｔ１sだけ実行する、
ことを特徴とする請求項１記載の空冷式熱源機の散水システム。
【請求項７】
空気熱交換器を備えた空冷式熱源機の散水方法であって、
予め定めた散水開始条件が成立した場合にタンクの水を前記空気熱交換器に散布する第１散布を開始し、
前記第１散布の開始後、予め定めた散水解除条件が成立した場合に前記第１散布を停止し、
前記第１散布の停止後、洗浄用の水を前記空気熱交換器に散布する第２散布を一定時間ｔ１sだけ実行し、
前記第１散布および前記第２散布により前記空気熱交換器から流下する水を前記タンクに回収する、
ことを特徴とする空冷式熱源機の散水方法。
【請求項８】
前記第１散布の開始後、前記散水解除条件が成立しないまま一定時間ｔ２sが経過した場合、前記第１散布を停止して前記第２散布を一定時間ｔ１sだけ実行する、
ことを特徴とする請求項７記載の空冷式熱源機の散水方法。
【発明の詳細な説明】
【技術分野】
【０００１】
本発明の実施形態は、空気熱交換器を備えた空冷式熱源機の散水システムおよび散水方法に関する。
【背景技術】
【０００２】
空気熱交換器を備えた空冷式熱源機では、外気温度が高い夏季など、空気熱交換器に水を散布することにより、空気熱交換器を冷却して空気熱交換器における冷媒の凝縮作用を促進することができる。これにより、エネルギー消費効率いわゆるＣＯＰが高まり、消費電力を低減することができる。
【０００３】
空気熱交換器に散布する水として、水道水や井戸水が使用される。この水を節約するため、散布後の水をタンクに回収し、そのタンク内の水を再び空気熱交換器に散布することが行われる。
【先行技術文献】
【特許文献】
【０００４】
【特許文献１】特開2006-105542号公報
【発明の概要】
【発明が解決しようとする課題】
【０００５】
水の散布と回収を繰り返すうちに、タンク内の水に含まれているシリカ等の不純物の濃度が高くなる。これに伴い、空気熱交換器の表面に不純物が付着したり堆積し、空気熱交換器の熱交換効率が低下してしまう。
【０００６】
本発明の実施形態の目的は、空気熱交換器に付着または堆積する不純物等の汚れを取り除くことができ、これにより空気熱交換器の熱交換効率を向上させることができる空冷式熱源機の散水システムおよび散水方法を提供することである。
【課題を解決するための手段】
【０００７】
請求項１の空冷式熱源機の散水システムは、空気熱交換器を備えた空冷式熱源機のものであって、水を収容するタンクと、このタンクの水を前記空気熱交換器に散布する第１散水手段と、洗浄用の水を前記空気熱交換器に散布する第２散水手段と、前記散布により前記空気熱交換器から流下する水を前記タンクに回収する回収手段と、予め定めた散水開始条件が成立した場合に前記第１散水手段による散布を開始し、この開始後、予め定めた散水解除条件が成立した場合に前記第１散水手段による散布を停止し、この停止後、前記第２散水手段による散布を一定時間ｔ１sだけ実行する制御手段と、を備える。
【０００８】
請求項７の空冷式熱源機の散水方法は、空気熱交換器を備えた空冷式熱源機のものであって、予め定めた散水開始条件が成立した場合にタンクの水を前記空気熱交換器に散布する第１散布を開始し、この第1散布の開始後、予め定めた散水解除条件が成立した場合に前記第１散布を停止し、この第１散布の停止後、洗浄用の水を前記空気熱交換器に散布する第２散布を一定時間ｔ１sだけ実行し、これら第１散布および前記第２散布により前記空気熱交換器から流下する水を前記タンクに回収する。
【図面の簡単な説明】
【０００９】
【図１】第１実施形態の構成を示す図。
【図２】第１実施形態における制御部の散水処理を示すフローチャート。
【図３】第１実施形態における制御部のタンク内の水の処理を示すフローチャート。
【図４】第２実施形態の構成を示す図。
【図５】第３実施形態の構成を示す図。
【図６】第４実施形態の構成を示す図。
【発明を実施するための形態】
【００１０】
［１］第１実施形態  
以下、本発明の第１実施形態について説明する。  
図１に示すように、第１実施形態の空冷式熱源機の散水システムは、１台の空冷式熱源機１を備える。ここで空冷式熱源機１はチラーユニットであり、圧縮機２、四方弁３、空気熱交換器４、膨張弁５、水熱交換器８、外気ファン６、外気温度センサ７などを備える。
【００１１】
圧縮機２は、冷媒を吸込んで圧縮し吐出する。この圧縮機２の冷媒吐出口に四方弁３を介して空気熱交換器４が配管接続され、その空気熱交換器４に膨張弁５を介して水熱交換器８が配管接続される。そして、水熱交換器８と圧縮機２の冷媒吸込口が配管接続される。これら配管接続により、ヒートポンプ式冷凍サイクルが構成される。外気ファン６は、外気を空気熱交換器４に導入する。
【００１２】
水熱交換器８は、図示しない負荷側機器、例えばファンコイル等の空調機と配管接続され、負荷側回路が形成される。この負荷側回路には熱媒体としての水が循環している。空気熱交換器４が凝縮器として機能し、水熱交換器８が蒸発器として機能する冷房モードでは、水熱交換器８により冷水が生成され、負荷側機器に冷水が送られる。空気熱交換器４が蒸発器として機能し、水熱交換器８が凝縮器として機能する暖房モードでは、水熱交換器８により温水が生成され、負荷側機器に温水が送られる。
【００１３】
水Ｗを収容するタンク１０の側面下部に水配管１１の一端が接続され、その水配管１１の他端がノズルヘッダーからノズルを介して、空冷式熱源機１の上部に接続される。そして、水配管１１において、タンク１０寄りの位置に循環ポンプ１２が配置され、空冷式熱源機１寄りの位置に電磁開閉弁１３が配置される。また、空冷式熱源機１の空気熱交換器４の下部には、ドレンパン９が設けられている。このドレンパン９は、空気熱交換器に付着した結露水や除霜運転により空気熱交換器４に付着した霜を溶かした際に発生する融解水、または雨水等を受け、空冷式熱源機１の機外に排水するようになっている。このドレンパン９に水配管１４の一端が接続され、その水配管１４の他端がタンク１０の上面を通してタンク１０内に導入される。
【００１４】
循環ポンプ１２が運転オンすると、タンク１０内の水Ｗが水配管１１を通って電磁開閉弁１３に送られる。このとき、電磁開閉弁１３が開いていれば、水配管１１内の水が空気熱交換器４、ここではそのコイルまたはフィンに散布される。この散布によって空気熱交換器４から流下する水は、ドレンパン９を介して水配管１４によってタンク１０に回収される。
【００１５】
水配管１１、循環ポンプ１２、電磁開閉弁１３により、タンク１０の水Ｗを空気熱交換器４に散布する第１散水手段が構成される。少なくとも水配管１４により、上記散布によって空気熱交換器４から流下する水をタンク１０に回収する回収手段が構成される。
【００１６】
水道や井戸などの給水源に水配管１５の一端が接続され、その水配管１５の他端側が途中で分岐して後述する給水手段および第２散水手段の管路を構成する。給水手段の管路となる水配管１５の他端がタンク１０の上面を通してタンク１０内に導入される。そして、水配管１５において、給水源寄りの位置に給水量検出手段として用いられる流量センサ１６が配置され、タンク１０寄りの位置に電磁開閉弁１７が配置される。この電磁開閉弁１７が開くと、給水源から供給される水がタンク１０に流入する。流量センサ１６は、水配管１５を介して散水システムに流入する水の流量を検知する。
【００１７】
水配管１５および電磁開閉弁１７により、水道水または井戸水をタンク１０に供給する給水手段が構成される。
【００１８】
タンク１０の側面上部に水配管１８の一端が接続され、その水配管１８の他端が下水管などに接続される。タンク１０内の水Ｗが増えてその水位が水配管１８の接続位置に達すると、その接続位置より上の水Ｗが水配管１８を通って下水等に排出される。また、タンク１０の底面に水配管１９の一端が接続され、その水配管１９の他端が水配管１８に接続される。そして、水配管１９に電磁開閉弁２０が配置される。電磁開閉弁２０が開くと、タンク１０内の水Ｗが水配管１９および水配管１８を通って下水等に排出される。
【００１９】
水配管１８，１９および電磁開閉弁２０により、タンク１０内の水Ｗを排出する排水手段が構成される。
【００２０】
タンク１０の上面に水位センサ２１が配置され、タンク１０内の下部に電気伝導率検知手段である電気伝導率センサ２２が配置される。水位センサ２１は、タンク１０内の水Ｗに進入するアクチュエータを有し、タンク１０内の水位Ｗｈを検知する。電気伝導率センサ２２は、タンク１０内の水Ｗの電気伝導率Ｃを検知する。
【００２１】
タンク１０の近傍に薬剤容器３０が配置され、その薬剤容器３０に液配管３１の一端が接続される。液配管３１の他端はタンク１０の側面上部を通してタンク１０内に導入される。そして、液配管３１に注入ポンプ３２が配置される。注入ポンプ３２が運転オンすると、薬剤容器３０内の液状の薬剤が液配管３１を通ってタンク１０に注入される。
【００２２】
薬剤容器３０、液配管３１、注入ポンプ３２により、タンク１０に薬剤を注入する薬剤注入手段が構成される。薬剤は、防スケール剤、防食剤および殺菌剤等の水処理薬剤から目的や水質に応じて一種あるいは二種以上が適宜選択される。本実施形態においては、殺菌剤を例に説明する。
【００２３】
水配管１５における流量センサ１６より下流側の位置に給水手段と第２散水手段との分岐部となる三方継手６１を介して水配管４１の一端が接続され、その水配管４１の他端が水配管１１における循環ポンプ１２と電磁開閉弁１３との間の位置に第１散水手段と第２散水手段の合流部となる三方継手６２を介して接続される。そして、水配管４１に純水生成手段である純水生成ユニット４２および電磁開閉弁４３が配置される。純水生成ユニット４２は、流入する水から純水を生成する。電磁開閉弁４３が開くと、水配管１５内の水が水配管４１に流入して純水生成ユニット４２に流れ、その純水生成ユニット４２から流出する純水が水配管１１に流入する。このとき、電磁開閉弁１３が開いていれば、水配管１１に流入した純水が空気熱交換器４に散布される。この散布によって空気熱交換器４から流下する水は、水配管１４によってタンク１０に回収される。
【００２４】
少なくとも水配管４１および電磁開閉弁４３により、洗浄用の水を空気熱交換器４に散布する第２散水手段が構成される。ここで、第２散水手段は、第１散水手段との合流部である三方継手６２から下流側の管路を第１散水手段と共有している。
【００２５】
一方、制御部５０に、外気温度センサ７、循環ポンプ１２、電磁開閉弁１３、流量センサ１６、電磁開閉弁１７、電磁開閉弁２０、水位センサ２１、電気伝導率センサ２２、注入ポンプ３２、電磁開閉弁４３が接続される。外気温度センサ７は、空冷式熱源機１が設置されている場所の外気温度Ｔｏを検知する。
【００２６】
以上の構成により、空冷式熱源機１の散水システムが構成される。  
制御部５０は、主要な機能として次の（１）〜（５）の手段を有する。  
（１）予め定めた散水開始条件が成立した場合に第１散水手段による散布を開始し、この開始後、予め定めた散水解除条件が成立した場合に第１散水手段による散布を停止し、この停止後、第２散水手段による散布を一定時間ｔ１sだけ実行する第１制御手段。
【００２７】
（２）上記散水解除条件が成立しないまま一定時間ｔ２sが経過した場合、第１散水手段による散布を停止して第２散水手段による散布を一定時間ｔ１sだけ実行する第２制御手段。
【００２８】
（３）水位センサ２１の検知水位Ｗｈが設定値Ｗｈ１となるように上記給水手段の給水を制御する第３制御手段。
【００２９】
（４）上記薬剤注入手段による薬剤の注入を散水システムに流入する給水量（流量センサ１６の検知流量）Ｆｍに応じて制御する第４制御手段。
【００３０】
（５）電気伝導率センサ２２で検知される電気伝導率Ｃが設定値Ｃｓ以上の場合に、上記排水手段によってタンク１０内の水Ｗを排出する第５制御手段。
【００３１】
なお、散水開始条件は、例えば、外気温度センサ７の検知温度Ｔｏが所定値Ｔｏｓ（例えば２０℃）以上で、かつ空気式熱源機１の運転負荷率Ｑが所定値Ｑｓ（例えば７０％）以上の場合に成立する。散水解除条件は、例えば、外気温度センサ７の検知温度Ｔｏが所定値Ｔｏｓ未満となるか、運転負荷率Ｑが所定値Ｑｓ未満となった場合に成立する。
【００３２】
つぎに、制御部５０が実行する散水処理を図２のフローチャートを参照しながら説明する。  
制御部５０は、散水開始条件の成立を監視する（ステップＳ１）。散水開始条件が成立した場合（ステップＳ１のＹＥＳ）、制御部５０は、循環ポンプ１２を運転オンするとともに電磁開閉弁１３を開いて、タンク１０内の水Ｗを空気熱交換器４に散布する（ステップＳ２）。この散布により、空気熱交換器４が冷却されて、空気熱交換器４における冷媒の凝縮作用が促進される。これにより、ヒートポンプ式冷凍サイクルのエネルギー消費効率いわゆるＣＯＰ（Coefficient-Of-Performance）が高まり、空冷式熱源機１の消費電力を低減することができる。
【００３３】
空気熱交換器４から流下する水Ｗは、水配管１４を通ってタンク１０に回収される。回収された水Ｗは、再び空気熱交換器４に散布される。
【００３４】
水Ｗの散布開始に伴い、制御部５０は、タイムカウントｔ２を実行し（ステップＳ３）、散水解除条件の成立を監視する（ステップＳ４）。
【００３５】
散水解除条件が成立しない場合（ステップＳ４のＮＯ）、制御部５０は、タイムカウントｔ２と一定時間ｔ２sとを比較する（ステップＳ５）。
【００３６】
散水解除条件が成立した場合（ステップＳ４のＹＥＳ）、制御部５０は、循環ポンプ１２の運転をオフして（電磁開閉弁１３は開状態のまま）、水Ｗの散布を停止する（ステップＳ６）。
【００３７】
水Ｗの散布停止に続き、制御部５０は、電磁開閉弁４３を開いて（電磁開閉弁１３は開状態のまま）、純水生成ユニット４２で生成される純水を空気熱交換器４に散布する（ステップＳ７；洗浄開始）。この散布により、空気熱交換器４に表面に付着したり堆積している不純物等の汚れが洗い流される。汚れを洗い流した後の水は、水配管１４を通ってタンク１０に収容される。
【００３８】
この洗浄開始に伴い、制御部５０は、タイムカウントｔ１を実行し（ステップＳ８）、そのタイムカウントｔ１と一定時間ｔ１sとを比較する（ステップＳ９）。タイムカウントｔ１が一定時間ｔ１sに達しないうちは（ステップＳ９のＮＯ）、純水の散布による洗浄を続けることになる。
【００３９】
タイムカウントｔ１が一定時間ｔ１sに達した場合（ステップＳ９のＹＥＳ）、制御部５０は、電磁開閉弁１３，４３を閉じて、純水の散布を停止する（ステップＳ１０；洗浄停止）。この洗浄停止に伴い、制御部５０は、タイムカウントｔ１，ｔ２をリセットし（ステップＳ１１）、ステップＳ１の処理に戻る。
【００４０】
水Ｗの散布と回収が繰り返されると、タンク１０の水Ｗに含まれているシリカ等の不純物の濃度が高くなり、その結果、空気熱交換器４の表面に不純物が付着したり堆積してしまう。この不純物の付着や堆積は、空気熱交換器４の熱交換効率を低下させるとともに、水Ｗの散布による冷却効率をも低下させてしまう。
【００４１】
上記のように、水Ｗの散布後に洗浄用の純水を散布して、空気熱交換器４に付着または堆積した不純物等の汚れを洗い流すことにより、空気熱交換器４の熱交換効率を向上させることができ、水Ｗの散布による冷却効率も向上する。
【００４２】
なお、水Ｗの散布を開始した後、散水解除条件が成立しないまま、水Ｗの散布が長時間にわたって継続することがある。  
散水解除条件が成立しないまま（ステップＳ４のＮＯ）、タイムカウントｔ２が一定時間ｔ２sに達した場合（ステップＳ５のＹＥＳ）、制御部５０は、循環ポンプ１２の運転をオフして（電磁開閉弁１３は開状態のまま）、水Ｗの散布を強制的に停止する（ステップＳ６）。
【００４３】
この強制停止に続き、制御部５０は、電磁開閉弁４３を開いて（電磁開閉弁１３は開状態のまま）、純水生成ユニット４２で生成される純水を空気熱交換器４に散布する（洗浄開始；ステップＳ７）。この散布により、空気熱交換器４の表面に付着したり堆積している不純物等の汚れが洗い流される。この洗浄開始に伴い、制御部５０は、上記ステップＳ８〜Ｓ１１の処理を実行する。
【００４４】
このように、水Ｗの散布が長引く場合は、水Ｗの散布に代えて純水の散布を実行することにより、空気熱交換器４を汚れのないきれいな状態に保ちながら、空気熱交換器４を効率よく冷却することができる。
【００４５】
一方、制御部５０が図２の散水処理と並行して実行する、タンク１０内の水Ｗの処理（水位処理、薬注処理、排水処理）を図３のフローチャートを参照しながら説明する。
【００４６】
［水位処理］  
制御部５０は、水位センサ２１の検知水位Ｗｈと設定値Ｗｈ１とを比較する（ステップＳ２１）。水位センサ２１の検知水位Ｗｈが設定値Ｗｈ１未満の場合（ステップＳ２１のＹＥＳ）、制御部５０は、電磁開閉弁１７を開いて、タンク１０への給水を開始する（ステップＳ２２）。
【００４７】
この給水開始に伴い、制御部５０は、水位センサ２１の検知水位Ｗｈと設定値Ｗｈ２（＝Ｗｈ１＋ΔＷｈ）とを比較する（ステップＳ２３）。検知水位Ｗｈが設定値Ｗｈ２未満の場合（ステップＳ２３のＮＯ）、制御部５０は、給水を続けることになる。
【００４８】
水位センサ２１の検知水位Ｗｈが設定値Ｗｈ２に達した場合（ステップＳ２３のＹＥＳ）、制御部５０は、電磁開閉弁１７を閉じて、タンク１０への給水を停止する（ステップＳ２４）。この停止後、制御部５０は、ステップＳ２１の処理に戻る。
【００４９】
この水位処理により、新鮮できれいな水Ｗがタンク１０に供給されるとともに、タンク１０内の水位Ｗｈが設定値Ｗｈ１以上に維持される。
【００５０】
［薬注処理］  
水配管１５を通って散水システムに流入する水の流量が流量センサ１６により検知される。制御部５０は、流量センサ１６で検知される水の流量を給水量Ｆｍとして積算的に検出し、その給水量Ｆｍと設定値Ｆｍｓとを比較する（ステップＳ３１）。給水量Ｆｍの検出は、具体的には、流量センサ１６から出力されるパルス信号を計数することにより行う。
【００５１】
給水量Ｆｍが設定値Ｆｍｓに達した場合（ステップ３１のＹＥＳ）、制御部５０は、注入ポンプ３２を所定時間だけ運転オンして、薬剤容器３０内の薬剤を所定量だけタンク１０に注入する（ステップＳ３２）。この薬剤の注入により、タンク１０内の水Ｗに含まれる例えばレジオネラ菌が死滅する。
【００５２】
薬剤の注入に伴い、制御部５０は、それまで検出した給水量Ｆｍを零にクリアし（ステップＳ３３）、ステップＳ３１の処理に戻る。これにより、給水量Ｆｍが零から再び検出され、その給水量Ｆｍが設定値Ｆｍｓに達するごとに、薬注の注入が繰り返される。
【００５３】
［排水処理］  
純水の散布によって洗い流された不純物等の汚れは、水と共にタンク１０に回収される。このため、タンク１０内の水Ｗの汚れは、水Ｗの散布と回収が繰り返されることによって増すだけでなく、純水による洗浄が実行されることでもさらに増していく。汚れが増すほど、タンク１０内の水Ｗの電気伝導率Ｃが高くなる。
【００５４】
タンク１０内の水Ｗの電気伝導率Ｃは、電気伝導率センサ２２で検知されている。制御部５０は、電気伝導率センサ２２で検知される電気伝導率Ｃと設定値Ｃｓ２とを比較する（ステップＳ４１）。
【００５５】
電気伝導率センサ２２で検知される電気伝導率Ｃが設定値Ｃｓ２に達した場合（ステップＳ４１のＹＥＳ）、制御部５０は、タンク１０内の水が汚れているとの判断の下に、電磁開閉弁２０を開いて、タンク１０内の水Ｗを排出する（ステップ４２；排水開始）。この排水により、タンク１０内の汚れた水がタンク１０外に排出される。
【００５６】
排水開始に伴い、制御部５０は、電気伝導率センサ２２で検知される電気伝導率Ｃと設定値Ｃｓ１（＜Ｃｓ２）とを比較する（ステップＳ４３）。電気伝導率Ｃが設定値Ｃｓ１以上の場合（ステップＳ４３のＮＯ）、制御部５０は、排水を続けることになる。
【００５７】
タンク１０内の水Ｗの汚れは、汚れ分そのものがタンク１０外に出ることで改善されるとともに、排水に伴う水位低下に応じて上記水位処理の給水が行われることでも改善される。
【００５８】
電気伝導率センサ２２で検知される電気伝導率Ｃが設定値Ｃｓ１未満に低下した場合（ステップＳ４３のＹＥＳ）、制御部５０は、電磁開閉弁２０を閉じて、タンク１０内の水Ｗの排出を停止する（ステップ４４；排水停止）。この排水停止後、制御部５０は、ステップＳ４１の処理に戻る。  
［２］第２実施形態  
本発明の第２実施形態では、図４に示すように、水配管４１における純水生成ユニット４２が取り除かれる。他の構成は第１実施形態と同じである。  
空気熱交換器４の洗浄に際しては、給水源から供給される水がそのまま空気熱交換器４に散布される。
【００５９】
給水源の水がきれいな場合（例えば、雨水や空調機から発生するドレン水を利用できる場合など）、または井水や水道水のカルシウム硬度が低い地域においては、その給水源の水を空気熱交換器４の洗浄用としてそのまま使用することにより、純水生成ユニット４２を取り除くことができる。その分、コストを低減することができる。
【００６０】
［３］第３実施形態  
本発明の第３実施形態では、図５に示すように、複数台の空冷式熱源機１が互いに並んで配置される。
【００６１】
水配管１１は複数台の空気熱源機１に対応して複数に分岐しており、それぞれに電磁開閉弁１３が設けられる。また、タンク１０の容量は、空冷式熱源機１の台数に応じて十分な循環水量を確保できるように設定されている。
【００６２】
制御部５０は、複数台の空冷式熱源機１のいずれか１台でも散水開始条件が成立した場合、散水開始条件が成立している空冷式熱源機１に対応する電磁開閉弁１３を開いて循環ポンプ１２を運転オンすることにより、散水開始条件が成立している空冷式熱源機１の空気熱交換器４に対しタンク１０内の水Ｗを散布する。このとき、循環ポンプ１２の流量制御としては、開かれる電磁開閉弁１３の数や開度の総計に応じて流量を制御してもよいし、循環ポンプ１２の吐出圧力が一定となるように流量を制御してもよい。
【００６３】
その後、制御部５０は、水Ｗの散布対象となった空冷式熱源機１で散水解除条件が成立した場合に、散水解除条件が成立した空冷式熱源機１に対応する電磁開閉弁１３を閉じて、散水解除条件が成立した空冷式熱源機１の空気熱交換器４に対する水Ｗの散布を停止する。
【００６４】
そして、制御部５０は、全ての空冷式熱源機１で散水解除条件が成立した場合、循環ポンプ１２を運転オフして電磁開閉弁４３を開くとともに、水Ｗの散布対象となっていた空冷式熱源機１に対応する電磁開閉弁１３を開くことにより、水Ｗの散布対象となっていた空冷式熱源機１の空気熱交換器４に対し洗浄用の純水を散布する。
【００６５】
その後、制御部５０は、純水の散布を開始してから一定時間ｔ１sが経過した場合に、電磁開閉弁４３を閉じるとともに、全ての電磁開閉弁１３を閉じて、純水の散布を停止する。  
他の構成および制御は第１実施形態と同じである。よって、その説明は省略する。  
［４］第４実施形態  
本発明の第４実施形態では、図６に示すように、複数台の空冷式熱源機１が互いに並んで配置される。
【００６６】
水配管１５における流量センサ１６より下流側の位置に水配管４１の一端が接続され、その水配管４１の他端が各空冷式熱源機１の上部に分岐接続される。そして、水配管４１の分岐部上流側に純水生成ユニット４２が配置される。さらに、水配管４１の各分岐部の下流側で各空冷式熱源機１の上流側に、それぞれ電磁開閉弁４４が配置される。
【００６７】
水配管１５内の水が水配管４１に流入して純水生成ユニット４２に流れ、その純水生成ユニット４２から流出する純水が水配管４１の各分岐部に流入する。このとき、各電磁開閉弁４４が開いていれば、水配管４１の各分岐部に流入した純水が洗浄用として各空気熱交換器４に散布される。
【００６８】
制御部５０は、複数台の空冷式熱源機１のいずれか１台でも散水開始条件が成立した場合、散水開始条件が成立している空冷式熱源機１に対応する電磁開閉弁１３を開いて循環ポンプ１２を運転オンすることにより、散水開始条件が成立している空冷式熱源機１の空気熱交換器４に対しタンク１０内の水Ｗを散布する。このとき、循環ポンプ１２の流量制御としては、開かれる電磁開閉弁１３の数や開度の総計に応じて流量を制御してもよいし、循環ポンプ１２の吐出圧力が一定となるように流量を制御してもよい。
【００６９】
その後、制御部５０は、水Ｗの散布対象となった空冷式熱源機１で散水解除条件が成立した場合に、散水解除条件が成立した空冷式熱源機１に対応する電磁開閉弁１３を閉じて、散水解除条件が成立した空冷式熱源機１の空気熱交換器４に対する水Ｗの散布を停止する。
【００７０】
そして、制御部５０は、散水解除条件が成立した空冷式熱源機１に対応する電磁開閉弁４４を開くことにより、当該空冷式熱源機１の空気熱交換器４に対し洗浄用の純水を散布する。
【００７１】
その後、制御部５０は、純水の散布を開始してから一定時間ｔ１sが経過した場合に、純水を散布するために開いた電磁開閉弁４４を閉じて、純水の散布を停止する。  
他の構成および制御は第１実施形態と同じである。よって、その説明は省略する。  
［５］変形例  
上記実施形態では、外気温度センサ７の検知温度Ｔｏおよび空冷式熱源機１の運転負荷率Ｑを散水開始条件および散水解除条件の要素としたが、それ以外の要素を散水開始条件および散水解除条件として用いてもよい。
【００７２】
上記実施形態では、外気温度センサ７の検知温度Ｔｏが所定値Ｔｏｓ以上で、かつ空冷式熱源機１の運転負荷率Ｑが所定値Ｑｓ以上であることを散水開始条件としたが、それに限定はなく、例えば空冷式熱源機１が運転中に外気温度センサ７の検知温度Ｔｏが所定値Ｔｏｓ以上であることを散水開始条件としてもよい。
【００７３】
上記実施形態では、散水開始条件を満たした後、最初にタンク１０内の水Ｗの水位を検知し、検知水位Ｗｈが所定値Ｗｈ１未満の場合に設定Ｗｈ２となるまでタンク１０に給水したが、最初に給水源の水を空気熱交換器４に散布し、空気熱交換器４から流下する水をタンク１０内に回収してもよい。
【００７４】
上記実施形態では、第２散水手段として純水生成ユニット４２に純水を生成する構成としたが、純水生成ユニットに替えて軟水生成ユニットにより軟水を生成する構成としてもよい。
【００７５】
上記実施形態では、第１散水手段による水Ｗの散布が停止する都度第２散水手段により純水を散布しているが、空冷式熱源機１の一日の運転終了時に純水を散布してもよい。
【００７６】
上記実施形態では、空冷式熱源機１としてヒートポンプ式チラーユニットの例を説明したが、空気調和装置の室外ユニットや冷凍・冷蔵ショーケースのコンデンシングユニットでも同様に利用できる。
【００７７】
その他、上記実施形態および変形例は、例として提示したものであり、発明の範囲を限定することは意図していない。この新規な実施形態および変形例は、その他の様々な形態で実施されることが可能であり、発明の要旨を逸脱しない範囲で、種々の省略、書き換え、変更を行うことができる。これら実施形態や変形は、発明の範囲は要旨に含まれるとともに、特許請求の範囲に記載された発明とその均等の範囲に含まれる。
【符号の説明】
【００７８】
１…空冷式熱源機、２…圧縮機、３…四方弁、４…空気熱交換器、５…膨張弁、６…外気ファン、７…外気温度センサ、８…水熱交換器、９…ドレンパン、１０…タンク、１１…水配管、１２…循環ポンプ、１３…電磁開閉弁、１４…水配管、１５…水配管、１６…流量センサ、１７…電磁開閉弁、１８…水配管、１９…水配管、２０…電磁開閉弁、２１…水位センサ、２２…電気伝導率センサ、３０…薬剤容器、３１…液配管、３２…注入ポンプ、４１…水配管、４２…純水生成ユニット、４３…電磁開閉弁、４４…電磁開閉弁、５０…制御部、６１，６２…三方継手
【図１】
0006343570.tif 000002
【図２】
0006343570.tif 000003
【図３】
0006343570.tif 000004
【図４】
0006343570.tif 000005
【図５】
0006343570.tif 000006
【図６】
0006343570.tif 000007